(57)【特許請求の範囲】
【請求項１】
コピー、ファックス、プリンター、スキャナー等の機能のすべての機能あるいはこれら機能のうちのコピー機能及びそれ以外の１以上の機能を備えた複合機能を有する複合複写機の操作部において、前記複合機能に対応する複合機能キーの装着部に、装着する複合キーの機能を検出するための検出手段を設けるとともに、上記複合機能キーがその機能を上記検出手段に検出させるための被検出部を備えることを特徴とする複合複写機の操作部。
【請求項２】
検出した複合機能キーの機能と位置を示す表示を行う表示器を備えることを特徴とする請求項１の複合複写機の操作部。
【請求項３】
上記複合機能キーの使用頻度を各複合機能毎に記憶し、所定時間経過毎に、使用頻度毎に該複合機能キーの配列変更を促す出力を行う手段を有することを特徴とする請求項１または２の複合複写機の操作部。
【請求項４】
上記複合機能キーの使用頻度を各複合機能毎に記憶し、所定回数押下された複合機能キーについてキー寿命であることを示す出力を行う手段を有することを特徴とする請求項１ないし３のいずれかの複合複写機の操作部。
【請求項５】
請求項１ないし４のいずれかの操作部を備えたことを特徴とする複合複写機。
【発明の詳細な説明】
【０００１】
【発明の属する技術分野】
本発明は、コピー、ファックス、プリンター、スキャナー等の機能のすべての機能あるいはこれら機能のうちの２以上の機能を備えた複合機能を有する複合複写機の操作部とこれを用いた複合複写機に関する。
【０００２】
【従来の技術及び発明が解決しようとする課題】
近年のディジタル複写機では、複合化によりコピーのみでなくファックス、プリンター機能などが付加され、それらの操作キーが増加し、操作部は複雑化し、ユーザにとって操作しにくい状況になってきている。またディジタル複写機は、コピー機能に、ファックス、プリンター、スキャナー等のユーザの要望による機能（以下アプリ機能）を追加して拡張できる構造となっている。そのため、コピーとファックス、コピーとプリンター、コピーとスキャナーのような１アプリ機能の追加の場合、さらにコピーとファクス及びプリンター、コピーとプリンター及びスキャナーの２アプリ機能の追加、さらには、コピーとファックス、プリンター及びスキャナーのすべてのアプリ機能を備えたフルアプリ機能とする場合が可能となっている。
【０００３】
ところが従来の操作部の構成では、アプリ機能を追加した際に各アプリ機能を実行するためのキー（以下アプリ機能キー）を押下して機能画面を開く必要があったり、フルアプリ機能に対応するためフルアプリ機能を実行するためのアプリ機能キーの位置を固定しておく必要があって、ユーザが使い分けをしなければならない煩雑さがあるという問題があり、解決が望まれている。
【０００４】
そこで本発明は、この問題を解決するために、アプリ機能キーの位置をユーザの要望により任意の位置に配置できる構造とし、またアプリ機能キーが実行しようとする機能を判別できる構成とすることにより、ユーザの操作性を向上させ得る複合機の操作部とこれを用いた複合複写機を提供することを目的とする。
【０００５】
また、アプリ機能が多く、多数のユーザが使用する場合には、各ユーザの使用要求が異なるために特定のキー配置では満足できないという不満が発生し、その都度アプリ機能キーを入れ替える等の作業が発生する恐れがある。
【０００６】
そこで本発明は、この問題を解決するために、初期設定時に各アプリ機能キーを必要なアプリ機能キーに該当するように設定できる構成とし、ユーザの操作性を向上させ得る複合複写機の操作部とこれを用いた複合複写機を提供することを目的とする。
【０００７】
さらに、フルアプリ機能搭載時でも使用頻度の状況に応じて配置位置が固定していると操作が煩わしいという不具合がある。
【０００８】
そこで本発明は、この問題を解決するために、ユーザの使用頻度毎にアプリ機能キーを最適に配置することができる複合複写機の操作部とこれを用いた複合複写機を提供することを目的とする。
【０００９】
さらにまた、使用頻度の高いキーは寿命が尽きやすく、交換しなければならなくなるが、交換時期はユーザーには判別しにくい。
【００１０】
そこで本発明は、所定回数だけ使用したことをユーザーが認識しやすくして交換を行いやすくした複合複写機の操作部とこれを用いた複合複写機を提供することを目的とする。
【００１１】
【課題を解決するための手段】
本発明の複合複写機の操作部のうち請求項１に係るものは、上記目的を達成するために、コピー、ファックス、プリンター、スキャナー等の機能のすべての機能あるいはこれら機能のうちのコピー機能及びそれ以外の１以上の機能を備えた複合機能を有する複合複写機の操作部において、前記複合機能に対応する複合機能キーの装着部に、装着する複合キーの機能を検出するための検出手段を設けるとともに、上記複合機能キーがその機能を上記検出手段に検出させるための被検出部を備えることを特徴とする。
【００１２】
同請求項２に係るものは、検出した複合機能キーの機能と位置を示す表示を行う表示器を備えることを特徴とする。
【００１３】
同請求項３に係るものは、上記複合機能キーの使用頻度を各複合機能毎に記憶し、所定時間経過毎に、使用頻度毎に該複合機能キーの配列変更を促す出力を行う手段を有することを特徴とする。
【００１４】
同請求項４に係るものは、上記複合機能キーの使用頻度を各複合機能毎に記憶し、所定回数押下された複合機能キーについてキー寿命であることを示す出力を行う手段を有することを特徴とする。
【００１５】
同請求項５に係る複合複写機は、請求項１ないし４のいずれかの操作部を備えたことを特徴とする。
【００１６】
【発明の実施の形態】
以下本発明の実施の形態を図面を参照して説明する。
図１は本発明の実施対象となる複合複写機の操作部の平面図で、（Ａ）は一般のコピー機能のみの場合の図、（Ｂ）は拡張可能な機能をフル装備した場合の図である。
【００１７】
この操作部１は、以下に述べる入力関係のハードキーと、出力関係の集中表示部１５より構成されている。ハードキー関係としては、コピースタートを行うスタートキー２、置数クリアのクリア／ストップキー３、初期状態に戻すモードクリアーキー５、プログラムキー６、動作割込みの割込みキー７、置数入力のテンキー４、濃度関係の自動濃度キー８、写真・濃度キー９、用紙キー１０、用紙関係の自動用紙キー１１、変倍関係の等倍キー１２、拡大・縮小キー１３また、ディジタル複写機特有の編集関係キー１４等で構成されている。集中表示部１５は、置数表示のＬＥＤ、ジャム位置表示、アラーム表示等を収納している。
【００１８】
また図１（Ａ）中の左側部分は、機能追加時のスペースで、コピー機能時はカバー１６で覆われ、アプリ切換機能キー部分には目隠しカバー１７が設置されている。一方図１（Ｂ）では、図の左側にファックス短縮キーと表示部を有するキット１８が、テンキー４の横にファックス関係キー１９が、中央部に複合機特有のアプリ切換機能キー２０が配置されている。
【００１９】
図２は操作部の回路ブロック図で、キーマトリクス２１、ＬＥＤマトリクス２２、ＬＣＤ２３と各入出力を制御するＩ／О２５、Ｉ／О２５を制御するＣＰＵ２６、メモリ２７で構成されている。また図３は、アプリ切換キー２０の配置詳細図で、上部よりコピーキー３１、ファックスキー３２、プリンターキー３３、スキャナーキー３４という配列で構成されている。
【００２０】
図４は、スキャナーの機能のみを拡張した場合の、コピーキー３１とスキャナーキー３４を装着し、ファックスとプリンターキー部に目隠しカバー１７が取り付けられた時のアプリ切換機能キーの配置図である。
【００２１】
このような複合操作部では、ユーザは、追加した機能が１つまたは２つであっても、アプリ機能キーの位置が固定しているため、図４図のようにコピーキー３１とスキャナーキー３４が離れた状態での使用になり、操作上の煩わしさが伴い、任意の位置にキーを配置してほしいという要求があることは既述の通りである。
【００２２】
図５は本発明に係る複合複写機の操作部の一実施形態において用いるアプリ機能キーのキートップの例を示す断面図（Ａ）と機能検出部の詳細図（Ｂ）である。なお図１〜４と同一構成部品には、同一番号を付して重複する説明は省略する。また図６は、キートップの位置検出、機能検出状態を示し、位置センサー６２、機能センサー６１が配置されている。図７は、キー認識のフローチャート図である。図８は回路ブロック図である。
【００２３】
各アプリ機能キーには、機能検出用の突起部６０が下面側に設けてあり、機能毎に突起先端部６０ａの位置が異なり、これを機能センサー６１で検出可能としている。例えば、１番目の位置にコピーキー３１を装着すると、キートップの押下部５０が、１番目の位置センサー６２、６２間を遮り、機能センサー６１、６１がこれを検知し、Ｉ／О部に１番目にキーが装着された信号を送信する。一方、突起部６０が機能センサー６１のセンサー部ａを遮り、コピー機能が装着されたことを同様にＩ／О部に信号を送る。ついで、２番目にスキャナーキー３４を装着した場合は、２番目の位置センサー６２がこれを検出し、また機能センサー６１のセンサー部ｄがこれを検出し、２番目にはスキャナーキー３４が装着されたことをＣＰＵ２６が認識し、キーの機能を決定する。以下図示しないが、２番目、３番目及び４番目にも同じ検出機構が設けられている。すなわち、各アプリ機能キー毎に突起部６０の位置が異なることによってセンサーも各アプリ毎に検出するため、キーを任意の位置に装着しても検出が可能になっている。このためユーザは、アプリ機能キーを好みの位置に装着することにより、操作性をアップさせ得る。
【００２４】
図９は本発明に係る複合複写機の操作部の他の実施形態の平面図である。この例は、アプリ機能キー３１〜３４の配置を水平にし、キー上部にアプリ機能キーの名称を表示する液晶表示器９０を配置したもので、アプリ機能キーの位置センサーは先の実施形態と同様にキーの押下部分で検出する。
【００２５】
図１０はアプリ機能キー位置設定のフロー図を示す。また図１１は、キー名称選択表示画面例を示す。まずユーザは、好みの位置に所望のアプリ機能キーを装着し、初期設定キーを押下すると機能キー選択画面１００に入り、番号を選択すると、選択した番号の機能キーの名称が表示される。当然、キー名称はユーザが任意に決定することができる。
【００２６】
図１２は、アプリ機能キー位置設定の他のフロー図を示す。各アプリ機能キーの押下回数をカウントしてメモリ２７に格納し、所定時間に達したら、一番使用頻度の高いアプリ機能キーを１番目のキー位置に変更し、ついで使用頻度の高いものを２番目のキー位置に配置するという動作を、以下同じように使用頻度順に順番に設定する。当然キーの名称を該当アプリ機能表示で液晶画面に表示する。
【００２７】
図１３は、アプリ機能キー番号の変更表示のフロー図を示す。図１４はその表示例である。この例では、使用頻度がある特定の押下回数に達し、キー寿命に近づいたときには、キー寿命アラーム表示を行い、変更の指示を促し、自動的の使用頻度の少ないキーとの交換を行うことができる。このような構成とすることにより操作部の信頼性をアップし、さらにユーザまたはサービスマンに対して、操作性のアップを目指すことが出来る等の効果が期待できる。
【００２８】
【発明の効果】
請求項１に係る複合複写機の操作部は、以上説明してきたように、複合機能に対応する複合機能キーの装着部に、装着する複合キーの機能を検出するための検出手段を設けるとともに、複合機能キーがその機能を検出手段に検出させるための被検出部を備えるようにしたので、ユーザの使用要求によりアプリ機能キーを任意の位置に配置し、使用することが可能になり、操作性が向上して操作の冗長性が小さくなり、信頼性がアップするという効果が得られる。
【００２９】
請求項２に係る複合複写機の操作部は、以上説明してきたように、検出した複合機能キーの機能と位置を示す表示を行う表示器を備えるようにしたので、上記共通の効果に加え、アプリ機能キーのキートップの入れ替えを行うことなく、任意の位置に配置でき、さらに操作性、信頼性をアップできるという効果がある。
【００３０】
請求項３に係る複合複写機の操作部は、以上説明してきたように、複合機能キーの使用頻度を各複合機能毎に記憶し、所定時間経過毎に、使用頻度毎にその複合機能キーの配列変更を促す出力を行う手段を有するようにしたので、上記共通の効果に加え、多数のユーザの使用頻度毎にアプリ機能キーを入れ替えを行え、さらに操作性、信頼性をアップできるという効果がある。
【００３１】
請求項４に係る複合複写機の操作部は、以上説明してきたように、複合機能キーの使用頻度を各複合機能毎に記憶し、所定回数押下された複合機能キーについてキー寿命であることを示す出力を行う手段を有するようにしたので、上記共通の効果に加え、多数のユーザの使用回数の多いアプリ機能キーが寿命になる前に、使用頻度の少ないキーとの入れ替えを行い、さらに操作性、信頼性をアップできるという効果がある。
【００３２】
請求項５に係る複合複写機は、以上説明してきたような操作部を用いるので、操作性、信頼性をアップできるという効果がある。
【図面の簡単な説明】
【図１】  本発明の実施対象となる複合複写機の操作部の平面図で、（Ａ）は一般のコピー機能のみの場合の図、（Ｂ）は拡張可能な機能をフル装備した場合の図である。
【図２】  図１の複合複写機の操作部の回路ブロック図である。
【図３】  図２中のアプリ機能キーの配置図である。
【図４】  スキャナーの機能のみを拡張した場合の図２中のアプリ機能キーの配置図である。
【図５】  本発明に係る複合複写機の操作部の一実施形態において用いるアプリ機能キーのキートップの例を示す断面図（Ａ）と機能検出部の詳細図（Ｂ）である。
【図６】  図５の実施形態に係る複合複写機におけるアプリ機能キーの機能検出を示す概念図である。
【図７】  図５の実施形態に係る複合複写機におけるキー認識のフローチャート図である。
【図８】  同回路ブロック図である。
【図９】  本発明に係る複合複写機の操作部の他の実施形態の平面図である。
【図１０】  図９の実施形態のアプリ機能キー位置設定のフロー図である。
【図１１】  図９の実施形態のキー名称選択表示画面例を示す概念図である。
【図１２】  アプリ機能キー位置設定の他のフロー図である。
【図１３】  アプリ機能キー番号の変更表示のフロー図である。
【図１４】  図１３の例の表示例を示す概念図である。
【図１】
0003902867.tif 000002
【図２】
0003902867.tif 000003
【図３】
0003902867.tif 000004
【図４】
0003902867.tif 000005
【図５】
0003902867.tif 000006
【図６】
0003902867.tif 000007
【図７】
0003902867.tif 000008
【図８】
0003902867.tif 000009
【図９】
0003902867.tif 000010
【図１０】
0003902867.tif 000011
【図１１】
0003902867.tif 000012
【図１２】
0003902867.tif 000013
【図１３】
0003902867.tif 000014
【図１４】
0003902867.tif 000015